(57)【要約】【課題】  被洗浄面を洗浄しつつ除菌をし、しかも、掃除する部屋の空間を同時に除菌することの出来る洗浄・除菌方法、及び、この洗浄・除菌方法を実施する除菌クリーナーを提供することを目的とする。【解決手段】  この発明に係わる洗浄・除菌方法は、除菌水Ｃを被洗浄面Ｓに吹き付け、被洗浄面Ｓを除菌水Ｃで洗浄すると共に除菌する第１の工程と、この第１の工程で被洗浄面Ｓの洗浄に用いられた除菌水Ｃから蒸発した除菌ガスを含む除菌エアーを、被洗浄面Ｓに吹き付けられた後の洗浄済除菌水Ｗと共に気液混合流として吸引する第２の工程と、この第２の工程で吸引した気液混合流を気液分離する第３の工程と、この第３の工程で分離された洗浄済除菌水Ｗを回収・貯留する第４の工程と、第３の工程で分離された除菌エアーを排気する第５の工程とを具備し、除菌エアーが排気された周囲空間を、この除菌エアーにより除菌することを特徴としている。【選択図】図１
2020058755.tif 000002
【特許請求の範囲】
【請求項１】
除菌水を被洗浄面に吹き付け、該被洗浄面を該除菌水で洗浄すると共に除菌する第１の工程と、
この第１の工程で前記被洗浄面の洗浄に用いられた除菌水から蒸発した除菌ガスを含む除菌エアーを、該被洗浄面に吹き付けられた後の洗浄済除菌水と共に気液混合流として吸引する第２の工程と、
この第２の工程で吸引した前記気液混合流を気液分離する第３の工程と、
この第３の工程で分離された前記洗浄済除菌水を回収・貯留する第４の工程と、
前記第３の工程で分離された前記除菌エアーを排気する第５の工程と、
を具備し、
前記除菌エアーが排気された周囲空間を、該除菌エアーにより除菌することを特徴とする洗浄・除菌方法。
【請求項２】
前記除菌水は、次亜塩素酸ＨＯＣｌ及び次亜塩素酸イオンＯＣＬ−を含有する水溶液であることを特徴とする請求項１に記載の洗浄・除菌方法。
【請求項３】
前記除菌水は、水道水にジクロロイソシアヌル酸塩及び無機塩を少なくとも含む次亜塩素酸水生成剤を溶解させて生成した水溶液であることを特徴とする請求項１に記載の洗浄・除菌方法。
【請求項４】
前記除菌水は、次亜塩素酸イオンＯＣＬ−を３０ｐｐｍから１０００ｐｐｍの範囲内の濃度で含有するように調整されていることを特徴とする請求項２又は３に記載の洗浄・除菌方法。
【請求項５】
2020058755.tif 000022
積が、少なくとも５以上の値となるように設定されていることを特徴とする請求項２又は３に記載の洗浄・除菌方法。
【請求項６】
前記除菌水は、次亜塩素酸ＨＯＣｌの濃度を５０ｐｐｍに設定されていることを特徴とする請求項５に記載の洗浄・除菌方法。
【請求項７】
前記殺菌時間は、１（ｍｉｎ）以上となるように設定されていることを特徴とする請求項５に記載の洗浄・除菌方法。
【請求項８】
除菌水が予め貯留される除菌水タンクを備えたクリーナー本体と、
吸引用のホースと、
このホースの先端に着脱自在に連結され、被洗浄面に摺接する先端面に吸引開口が形成された吸引ノズルと、
前記クリーナー本体内に配設され、この吸引ノズルの前記吸引開口に吸引負圧を発生させる吸引手段と、
前記除菌水タンクの除菌水を前記吸引ノズルの吸引開口まで導き、該吸引ノズルが摺接する被洗浄面に、該除菌水を吹き付ける吹き付け手段と、
前記被洗浄面の洗浄・除菌に用いられた除菌水から蒸発した除菌ガスを含む除菌エアーを、該被洗浄面に吹き付けられた後の洗浄済除菌水と共に前記吸引手段により吸引された気液混合流を、除菌エアーと洗浄済除菌水とに分離する気液分離手段と、
この気液分離手段により分離された洗浄済除菌水を汚水として貯留する汚水回収タンクと、
前記クリーナー本体に配設され、前記気液分離手段により分離された除菌エアーを該クリーナー本体外に排気する排気手段と、を具備し、
排気された前記除菌エアーにより、前記クリーナー本体が設置された周囲空間を除菌することを特徴とする除菌クリーナー。
【請求項９】
前記除菌タンクは、前記クリーナー本体内に配設されていることを特徴とする請求項８に記載の除菌クリーナー。
【請求項１０】
前記除菌タンクは、前記クリーナー本体外に配設されていることを特徴とする請求項８に記載の除菌クリーナー。
【請求項１１】
前記ホースは、可撓生を有して、前記クリーナー本体に連結されることを特徴とする請求項８に記載の除菌クリーナー。
【請求項１２】
前記ホースは、リジッドな状態で、前記クリーナー本体に連結されることを特徴とする請求項８に記載の除菌クリーナー
【請求項１３】
前記吹き付け手段は、
前記クリーナー本体内に配設され、前記除菌水タンクに貯留された除菌水を送り出す除菌水供給ポンプと、
この除菌水供給ポンプで送り出された除菌水を、前記吸引ノズルまで供給する除菌水供給チューブと、
この除菌水供給チューブの先端に取り付けられ、該除菌水供給チューブを介して供給された除菌水を、前記吸引開口から、前記被洗浄面に吹き付ける吹き付けノズルとを備えることを特徴とする請求項８に記載の除菌クリーナー。
【請求項１４】
前記吹き付け手段は、
前記気液分離手段に隣接して配設され、該気液分離手段における気液分離動作に応じて加圧力を発生させる加圧力発生手段と、
この加圧力発生手段で加圧された除菌水を、前記吸引ノズルまで供給する除菌水供給チューブと、
この除菌水供給チューブの先端に取り付けられ、該除菌水供給チューブを介して供給された除菌水を、前記吸引開口から、前記被洗浄面に吹き付ける吹き付けノズルとを備えることを特徴とする請求項８に記載の除菌クリーナー。
【請求項１５】
前記除菌水供給チューブは、前記ホースの中途部から該ホース内に導入されることを特徴とする請求項１３又は１４に記載の除菌クリーナー。
【請求項１６】
前記除菌水供給チューブの先端は、該ホース内で終端することを特徴とする請求項１５に記載の除菌クリーナー。
【請求項１７】
前記除菌水供給チューブの先端は、前記吸引ノズル内の前記吸引開口付近で終端することを特徴とする請求項１５に記載の除菌クリーナー。
【請求項１８】
前記除菌水供給チューブは、前記吸引ノズルに接続されて該吸引ノズル内に導入され、該除菌水供給チューブの先端は、前記吸引開口付近で終端することを特徴とする請求項１３または１４に記載の除菌クリーナー。
【請求項１９】
前記汚水回収タンクは、前記除菌水タンクの周囲に、これを取り囲むように配設されていることを特徴とする請求項１４に記載の除菌クリーナー。
【請求項２０】
前記汚水回収タンクと除菌水タンクとは、上下に分離した状態で互いに隣接していることを特徴とする請求項１４に記載の除菌クリーナー。
【請求項２１】
前記汚水回収タンクは、前記気液分離部に接触する状態で上方に位置し、
前記除菌水タンクは、前記汚水回収タンクの下方に位置する状態で配設されていることを特徴とする請求項２０に記載の除菌クリーナー。
【請求項２２】
前記排気手段は、
前記吸引手段の吐出口に連接され、前記吸引ノズルから吸引されて前記気液分離手段で分離され、該吐出口から吐出される気体に含まれる塵埃をフィルタリングするフィルタと、
前記クリーナー本体の外面に形成された排気口と、
前記フィルタと排気口とを連結する排気管と、を備え、
前記気液分離手段で分離された気体は、前記フィルタでフィルタリングされた後に、前記排気口から外部に除菌ガスを含む除菌エアーとして排出されることを特徴とする請求項８に記載の除菌クリーナー。
【請求項２３】
前記フィルタは、前記吸引手段の吐出口に、取替え可能に取り付けられていることを特徴とする請求項２２に記載の除菌クリーナー。
【請求項２４】
前記除菌タンクには、次亜塩素酸ＨＯＣｌ及び次亜塩素酸イオンＯＣＬ−を含有する水溶液が前記除菌水として貯留されることを特徴とする請求項８に記載の除菌クリーナー。
【請求項２５】
前記除菌タンクには、水道水にジクロロイソシアヌル酸塩及び無機塩を少なくとも含む次亜塩素酸水生成剤を溶解させて生成した水溶液が除菌水として貯留されることを特徴とする請求項８に記載の除菌クリーナー。
【請求項２６】
前記除菌水は、次亜塩素酸イオンＯＣＬ−を３０ｐｐｍから１０００ｐｐｍの範囲内の濃度で含有するように調整されていることを特徴とする請求項２４又は２５に記載の除菌クリーナー。
【請求項２７】
2020058755.tif 000023
積が、少なくとも５以上の値となるように設定されていることを特徴とする請求項２４又は２５に記載の除菌クリーナー。
【請求項２８】
前記除菌水は、次亜塩素酸ＨＯＣｌの濃度を５０ｐｐｍに設定されていることを特徴とする請求項２７に記載の除菌クリーナー。
【請求項２９】
前記殺菌時間は、１（ｍｉｎ）以上となるように設定されていることを特徴とする請求項２７に記載の除菌クリーナー。
【発明の詳細な説明】
【発明の詳細な説明】
【技術分野】
【０００１】  この発明は、被洗浄面を水洗い洗浄すると共に、屋内に漂うウィルスや細菌を短時間で効率よく除去し、屋内の空気を除菌する洗浄・除菌方法、及び、これを実施するための除菌クリーナーに関する。
【背景技術】
【０００２】  屋内の空中に浮遊するウィルスや細菌等を除去することは、重要な公衆衛生上の問題となっている。これに対応して、塩素を含む水道水を電気分解して次亜塩素酸を含む電解水を生成させ、この電解水を用いて空気中に浮遊するウィルス等の除去を図った除菌装置が幾つか提案されている（例えば、特許文献１乃至３参照）。しかし、これらの装置は、必ずしも屋内に漂うウィルスや細菌を短時間で効率よく除去できるといえるものではなかった。【０００３】  そこで、特許文献１乃至３に示す従来技術の問題点を根本的に解決すべく、本願発明者より、特許文献４に示すように、屋内の空気を、次亜塩素酸の濃度が２０ｐｐｍ乃至２００ｐｐｍの範囲にあるｐＨ５乃至ｐＨ７の次亜塩素酸を含む水溶液を含浸した除菌フィルタに通して再び屋内に戻し、その際、次亜塩素酸を含む水溶液の屋内への供給量を、室温２０℃及び相対湿度３０％において、２００ｍＬ／時間乃至７３０ｍＬ／時間の範囲とすると、屋内に漂うウィルスや細菌が短時間で効率よく除去できることを技術が発明され、本願出願人より、商品名：Ｊ−Ｂｏｙ（登録商標）の除菌水専用空間掃除システムとして実用に供され、所望の効果を達成できていた。【０００４】  しかしながら、この特許文献４に示す技術は、要は、屋内に漂うウィルスや細菌を短時間で効率よく除去するための技術であり、この技術が適用された装置を屋内に設置し続けておく必要がある課題が指摘されていた。【０００５】  一方で、屋内を掃除するクリーナー（掃除機）に目を転じれば、例えば特許文献５に示すような、気体吸引通路に貯留された水により、気体に含まれた微小流を捕獲するようになされたバキュームクリーナーが提案され、実用に供されている。このバキュームクリーナーは、被洗浄面に存在する水分を掃除時に吸い上げることが出来る所謂湿式掃除機であるので、クリーナー本体の外部に取り付けられた掃除液タンクに貯留された掃除液を、掃除時に、被洗浄面に吹き付けて水洗いしても、この掃除済の掃除液（汚水）を問題なくバキュームクリーナー内に吸引して回収することが出来、被洗浄面を水洗い可能なバキュームクリーナーとして機能させることが出来るものである。
【先行技術文献】
【特許文献】
【０００６】
【特許文献１】特開２００２−１８１３５８号公報
【特許文献２】特開２００７−２４４５２９号公報
【特許文献３】特開２００８−０４５８５６号公報
【特許文献４】特開２０１６−２０２１９１号公報
【特許文献５】特開２００９−２０１８８４号公報
【発明の概要】
【発明が解決しようとする課題】
【０００７】  確かに、特許文献４に示す除菌水専用空間掃除システムと、特許文献５に示すバキュームクリーナーとを合体すれば、被洗浄面としての床を水洗いしながら、屋内の空気を除菌する技術が完成することになるが、この技術が適用される装置は、２つの機能を同時に果たすための構造となり、大型にならざるを得ず、使い勝手がかなり悪いものであり、改善が要望されていた。【０００８】  この発明は、上述した事情に鑑みなされたもので、この発明の主たる目的は、装置を大型化することなく、被洗浄面を洗浄しつつ除菌をし、しかも、掃除する部屋の空間を同時に除菌することの出来る除菌クリーナーを提供することである。【０００９】  また、この発明の別の目的は、被洗浄面を洗浄しつつ除菌をし、しかも、掃除する部屋の空間を同時に除菌することの出来る洗浄・除菌方法を提供することである。
【課題を解決するための手段】
【００１０】  上記目的を達成するため、この発明に係わる洗浄・除菌方法は、請求項１の記載によれば、除菌水を被洗浄面に吹き付け、該被洗浄面を該除菌水で洗浄すると共に除菌する第１の工程と、この第１の工程で前記被洗浄面の洗浄に用いられた除菌水から蒸発した除菌ガスを含む除菌エアーを、該被洗浄面に吹き付けられた後の洗浄済除菌水と共に気液混合流として吸引する第２の工程と、この第２の工程で吸引した前記気液混合流を気液分離する第３の工程と、この第３の工程で分離された前記洗浄済除菌水を回収・貯留する第４の工程と、前記第３の工程で分離された前記除菌エアーを排気する第４の工程とを具備し、前記除菌エアーが排気された周囲空間を、該除菌エアーにより除菌することを特徴としている。【００１１】  このように、請求項１の洗浄・除菌方法を構成することにより、被洗浄面は、除菌水で洗浄されると共に除菌されることとなり、また、被洗浄面の洗浄に用いられた除菌水から蒸発した除菌ガスを含む除菌エアーを、この被洗浄面に吹き付けられた後の洗浄済除菌水と共に気液混合流として吸引し、この気液混合水を気液分離し、分離された除菌エアーを周囲空間に排気しているので、この除菌ガスを含む除菌エアーにより、周囲空間は除菌されることはもとより、この周囲空間内に置かれた物体の表面に付着した菌等も確実に除菌されることになる。【００１２】  また、この発明に係わる洗浄・除菌方法は、請求項２の記載によれば、前記除菌水は、次亜塩素酸ＨＯＣｌ及び次亜塩素酸イオンＯＣＬ−を含有する水溶液であることを特徴としている。【００１３】  このように、請求項２の洗浄・除菌方法を構成することにより、除菌水として次亜塩素酸ＨＯＣｌ及び次亜塩素酸イオンＯＣＬ−を含有する水溶液が用いられているので、除菌水を用いての被洗浄面の水洗い洗浄時において被洗浄面が有効に除菌され、また、被洗浄面の除菌・洗浄に用いられた除菌水から除菌ガスが蒸発し、気液分離された除菌エアーに含まれる除菌ガスを排気することにより周囲空間の除菌効果と共に、周囲空間におかれた物の表面に付着した菌等の除菌が確実に達成される効果が奏せられることになる。【００１４】  また、この発明に係わる洗浄・除菌方法は、請求項３の記載によれば、前記除菌水は、水道水にジクロロイソシアヌル酸塩及び無機塩を少なくとも含む次亜塩素酸水生成剤を溶解させて生成した水溶液を用いることを特徴としている。【００１５】  このように、請求項３の洗浄・除菌方法を構成することにより、除菌水として水道水にジクロロイソシアヌル酸塩及び無機塩を少なくとも含む次亜塩素酸水生成剤を溶解させて生成した水溶液が用いられているので、除菌水を用いての被洗浄面の水洗い洗浄時において被洗浄面が有効に除菌され、また、被洗浄面の除菌・洗浄に用いられた除菌水から除菌ガスが蒸発し、気液分離された除菌エアーに含まれる除菌ガスを排気することにより周囲空間の除菌効果と共に、周囲空間におかれた物の表面に付着した菌等の除菌が確実に達成される効果が奏せられることになる。【００１６】  また、この発明に係わる洗浄・除菌方法は、請求項４の記載によれば、前記除菌水は、次亜塩素酸イオンＯＣＬ−を３０ｐｐｍから１０００ｐｐｍの範���内の濃度で含有するように調整されていることを特徴としている。【００１７】  このように、請求項４の洗浄・除菌方法を構成することにより、被洗浄面の洗浄特性において、細菌の除去率として３０％以上を達成する効果を奏する事が出来るものであり、特に、この３０％以上の除去率は、除菌水を被洗浄面に連続的に吹き付けているので、充分なものである。【００１８】  また、この発明に係わる洗浄・除菌方法は、請求項５の記載によれば、前記除菌水の
2020058755.tif 000003
も５以上の値となるように設定されていることを特徴としている。【００１９】  このように、請求項５の洗浄・除菌方法を構成することにより、被洗浄面の殺菌特性において、細菌の生存率として１／４０以下を達成することが出来、屋内の空気の確実な除菌を果たす効果を奏する事が出来るものである。【００２０】  また、この発明に係わる洗浄・除菌方法は、請求項６の記載によれば、前記除菌水は、次亜塩素酸ＨＯＣｌの濃度を５０ｐｐｍに設定されていることを特徴としている。【００２１】  このように、請求項６の洗浄・除菌方法を構成することにより、除菌水を用いて、被洗浄面を確実に水洗い及び除菌することが出来ると共に、周囲空間をも確実に除菌することが出来るものである。【００２２】  また、この発明に係わる洗浄・除菌方法は、請求項７の記載によれば、前記殺菌時間は、１（ｍｉｎ）以上となるように設定されていることを特徴としている。【００２３】  このように、請求項７の洗浄・除菌方法を構成することにより、除菌水を用いて、被洗浄面を確実に水洗い洗浄及び除菌することが出来ると共に、周囲空間をも確実に除菌すると共にこの周囲空間に置かれた物の表面に付着した菌等を除菌することが出来るものである。【００２４】  また、この発明に係わる除菌クリーナーは、請求項８の記載によれば、除菌水が予め貯留される除菌水タンクを備えたクリーナー本体と、吸引用のホースと、このホースの先端に着脱自在に連結され、被洗浄面に摺接する先端面に吸引開口が形成された吸引ノズルと、前記クリーナー本体内に配設され、この吸引ノズルの前記吸引開口に吸引負圧を発生させる吸引手段と、前記除菌水タンクの除菌水を前記吸引ノズルの吸引開口まで導き、該吸引ノズルが摺接する被洗浄面に、該除菌水を吹き付ける吹き付け手段と、前記被洗浄面の洗浄・除菌に用いられた除菌水から蒸発した除菌ガスを含む除菌エアーを、該被洗浄面に吹き付けられた後の洗浄済除菌水と共に前記吸引手段により吸引した気液混合流を、除菌エアーと洗浄済除菌水とに分離する気液分離手段と、この気液分離手段により分離された洗浄済除菌水を汚水として貯留する汚水回収タンクと、前記クリーナー本体に配設され、前記気液分離手段により分離された除菌エアーを該クリーナー本体外に排気する排気手段とを具備し、排気された前記除菌エアーにより、前記クリーナー本体が設置された周囲空間を除菌することを特徴としている。【００２５】  このように、請求項８の除菌クリーナーを構成することにより、被洗浄面は、除菌水で洗浄されると共に、除菌されることとなり、また、被洗浄面に吹き付けられた除菌水から蒸発した除菌ガスを含む除菌エアーを、この被洗浄面に吹き付けられた後の洗浄済除菌水と共に気液混合流として吸引し、この気液混合流を気液分離し、分離された除菌エアーを周囲空間に排気しているので、この除菌ガスを含む除菌エアーにより、周囲空間は確実に除菌されるとともに、この周囲空間内に置かれた物の表面に付着した菌等も除菌されることになる。【００２６】  また、この発明に係わる除菌クリーナーは、請求項９の記載によれば、前記除菌タンクは、前記クリーナー本体内に配設されていることを特徴としている。【００２７】  このように、請求項９の除菌クリーナーを構成することにより、除菌水が貯留された除菌水タンクをクリーナー本体に内蔵して、装置の小型化をより達成することが出来ることになる。【００２８】  また、この発明に係わる除菌クリーナーは、請求項１０の記載によれば、前記除菌タンクは、前記クリーナー本体外に配設されていることを特徴としている。【００２９】  このように、請求項１０の除菌クリーナーを構成することにより、除菌水が貯留された除菌水タンクの容量を、クリーナー本体のサイズを気にすることなく大きく設定することができることになり、除菌水タンクにおける除菌水の補充頻度を減らすことが出来、使い勝手を向上させることが出来ることになる。【００３０】  また、この発明に係わる除菌クリーナーは、請求項１１の記載によれば、前記ホースは、可撓生を有して、前記クリーナー本体に連結されることを特徴としている。【００３１】  このように、請求項１１の除菌クリーナーを構成することにより、クリーナー本体として、通常のキャニスター型の構造を採用することが出来ることになる。【００３２】  また、この発明に係わる除菌クリーナーは、請求項１２の記載によれば、前記ホースは、リジッドな状態で、前記クリーナー本体に連結されることを特徴としている。【００３３】  このように、請求項１２の除菌クリーナーを構成することにより、クリーナー本体として、スティック型の構造を採用することが出来ることになる。【００３４】  また、この発明に係わる除菌クリーナーは、請求項１３の記載によれば、前記吹き付け手段は、前記クリーナー本体内に配設され、前記除菌水タンクに貯留された除菌水を送り出す除菌水供給ポンプと、この除菌水供給ポンプで送り出された除菌水を、前記吸引ノズルまで供給する除菌水供給チューブと、この除菌水供給チューブの先端に取り付けられ、該除菌水供給チューブを介して供給された除菌水を、前記吸引開口から、前記被洗浄面に吹き付ける吹き付けノズルとを備えることを特徴としている。【００３５】  このように、請求項１３の除菌クリーナーを構成することにより、除菌水タンクに貯留された除菌水は、吹き付け手段により被洗浄面としての例えば床面に確実に供給されて吹き付けられることになり、被洗浄面の掃除効果が高まることになる。【００３６】  また、この発明に係わる除菌クリーナーは、請求項１４の記載によれば、前記吹き付け手段は、前記気液分離手段に隣接して配設され、該気液分離手段における気液分離動作に応じて加圧力を発生させる加圧力発生手段と、この加圧力発生手段で加圧された除菌水を、前記吸引ノズルまで供給する除菌水供給チューブと、この除菌水供給チューブの先端に取り付けられ、該除菌水供給チューブを介して供給された除菌水を、前記吸引開口から、前記被洗浄面に吹き付ける吹き付けノズルとを備えることを特徴としている。【００３７】  このように、請求項１４の除菌クリーナーを構成することにより、除菌水タンクの除菌水は、気液分離手段における気液分離動作に応じて加圧力発生手段で発生された加圧力に基づき、被洗浄面に吹き付けられることとなり、電動の除菌水供給ポンプが不要となる効果を奏する事が出来ることになる。【００３８】  また、この発明に係わる��菌クリーナーは、請求項１５の記載によれば、前記除菌水供給チューブは、前記ホースの中途部から該ホース内に導入されることを特徴としている。【００３９】  このように、請求項１５の除菌クリーナーを構成することにより、除菌水供給チューブの取り回しを容易にすることが出来る効果を奏する事が出来ることになる。【００４０】  また、この発明に係わる除菌クリーナーは、請求項１６の記載によれば、前記除菌水供給チューブの先端は、該ホース内で終端することを特徴としている。【００４１】  このように、請求項１６の除菌クリーナーを構成することにより、除菌水の被洗浄面への吹き付け範囲を広く設定することができることとなり、掃除効果が向上する効果を奏する事が出来ることになる。【００４２】  また、この発明に係わる除菌クリーナーは、請求項１７の記載によれば、前記除菌水供給チューブの先端は、前記吸引ノズル内の前記吸引開口付近で終端することを特徴としている。【００４３】  このように、請求項１７の除菌クリーナーを構成することにより、除菌水供給チューブの先端を、被洗浄面に近い位置で終端させることとなり、より勢い良く除菌水を被洗浄面に吹き付けることができ、水洗い効率が向上する効果を奏する事が出来ることになる。【００４４】  また、この発明に係わる除菌クリーナーは、請求項１８の記載によれば、前記除菌水供給チューブは、前記吸引ノズルに接続されて該吸引ノズル内に導入され、該除菌水供給チューブの先端は、前記吸引開口付近で終端することを特徴としている。【００４５】  このように、請求項１８の除菌クリーナーを構成することにより、除菌水供給チューブの先端を、被洗浄面に近い位置で終端させることとなり、より勢い良く除菌水を被洗浄面に吹き付けることができ、水洗い効率が向上する効果を奏する事が出来ることになる。【００４６】  また、この発明に係わる除菌クリーナーは、請求項１９の記載によれば、前記汚水回収タンクは、前記除菌水タンクの周囲に、これを取り囲むように配設されていることを特徴としている。【００４７】  このように、請求項１９の除菌クリーナーを構成することにより、汚水回収タンク及び除菌水タンクを、クリーナー本体内において効率よく配置することが出来る効果を奏する事が出来ることになる。【００４８】  また、この発明に係わる除菌クリーナーは、請求項２０の記載によれば、前記汚水回収タンクと除菌水タンクとは、上下に分離した状態で互いに隣接していることを特徴としている。【００４９】  このように、請求項２０の除菌クリーナーを構成することにより、汚水回収タンク及び除菌水タンクを、クリーナー本体内において効率よく配置することが出来る効果を奏する事が出来ることになる。【００５０】  また、この発明に係わる除菌クリーナーは、請求項２１の記載によれば、前記汚水回収タンクは、前記気液分離部に接触する状態で上方に位置し、前記除菌水タンクは、前記汚水回収タンクの下方に位置する状態で配設されていることを特徴としている。【００５１】    このように、請求項２１の除菌クリーナーを構成することにより、当初、除菌水が充填されている除菌水タンクが、汚水回収タンクより下方に位置しているので、クリーナー本体の載置状態が���定化する効果を奏する事が出来ることになる。【００５２】  また、この発明に係わる除菌クリーナーは、請求項２２の記載によれば、前記排気手段は、前記吸引手段の吐出口に連接され、前記吸引ノズルから吸引されて前記気液分離手段で分離され、該吐出口から吐出される気体に含まれる塵埃をフィルタリングするフィルタと、前記クリーナー本体の外面に形成された排気口と、前記フィルタと排気口とを連結する排気管とを備え、前記気液分離手段で分離された気体は、前記フィルタでフィルタリングされた後に、前記排気口から外部に除菌ガスを含む除菌エアーとして排出されることを特徴としている。【００５３】  このように、請求項２２の除菌クリーナーを構成することにより、被洗浄面に吹き付けられてこれを除菌した除菌水が、被洗浄面からはねあげられて吸引ノズル内の空気中に、除菌ガスを含む除菌エアーとして混入することになり、この吸引ノズル内の空気が、掃除済の除菌水と共に吸い上げられ、気液分離手段により液体と気体とに分離され、分離された気体は、フィルタでフィルタリングされた後に、排気口から外部に除菌エアーとして排出されることとなり、この除菌クリーナーが配設された屋内の空気が、この排出された除菌エアーに含まれる除菌ガスにより除菌される効果が奏せられることになる。【００５４】  また、この発明に係わる除菌クリーナーは、請求項２３の記載によれば、前記フィルタは、前記吸引手段の吐出口に、取替え可能に取り付けられていることを特徴としている。【００５５】  このように、請求項２３の除菌クリーナーを構成することにより、フィルタを取り替えることにより、常に、気液分離された気体中に含まれる微細な塵やゴミが確実にフィルタリングされて、屋内に排出されることが防止されることになる。【００５６】  また、この発明に係わる除菌クリーナーは、請求項２４の記載によれば、前記除菌タンクには、次亜塩素酸ＨＯＣｌ及び次亜塩素酸イオンＯＣＬ−を含有する水溶液が前記除菌水として貯留されることを特徴としている。【００５７】  このように、請求項２４の除菌クリーナーを構成することにより、除菌水として次亜塩素酸ＨＯＣｌ及び次亜塩素酸イオンＯＣＬ−を含有する水溶液が用いられているので、除菌水を用いての被洗浄面の水洗い洗浄時において被洗浄面が有効に除菌され、また、被洗浄面の除菌・洗浄に用いられた除菌水から除菌ガスが蒸発し、気液分離された除菌エアーに含まれる除菌ガスを排気することにより周囲空間の除菌効果と共に、周囲空間におかれた物の表面に付着した菌等の除菌が確実に達成される効果が奏せられることになる。【００５８】  また、この発明に係わる除菌クリーナーは、請求項２５の記載によれば、前記除菌タンクには、水道水にジクロロイソシアヌル酸塩及び無機塩を少なくとも含む次亜塩素酸水生成剤を溶解させて生成した水溶液が除菌水として貯留されることを特徴としている。【００５９】  このように、請求項２５の除菌クリーナーを構成することにより、除菌水として水道水にジクロロイソシアヌル酸塩及び無機塩を少なくとも含む次亜塩素酸水生成剤を溶解させて生成した水溶液が用いられているので、除菌水を用いての被洗浄面の水洗い洗浄時において被洗浄面が有効に除菌され、また、被洗浄面の除菌・洗浄に用いられた除菌水から除菌ガスが蒸発し、気液分離された除菌エアーに含まれる除菌ガスを排気することにより周囲空間の除菌効果と共に、周囲空間におかれた物の表面に付着した菌等の除菌が確実に達成される効果が奏せられることになる。【００６０】  また、この発明に係わる除菌クリーナーは、請求項２６の記載によれば、前記除菌水は、次亜塩素酸イオンＯＣＬ−を３０ｐｐｍから１０００ｐｐｍの範囲内の濃度で含有するように調整されていることを特徴としている。【００６１】  このように、請求項２６の除菌クリーナーを構成することにより、被洗浄面の洗浄特性において、細菌の除去率として３０％以上を達成する効果を奏する事が出来るものであり、特に、この３０％以上の除去率は、除菌水を被洗浄面に連続的に吹き付けているので、充分なものである。【００６２】  また、この発明に係わる除菌クリーナーは、請求項２７の記載によれば、前記除菌水
2020058755.tif 000004
とも５以上の値となるように設定されていることを特徴としている。【００６３】  このように、請求項２７の除菌クリーナーを構成することにより、被洗浄面の殺菌特性において、細菌の生存率として１／４０以下を達成することが出来、屋内の空気の確実な除菌を果たす効果を奏する事が出来るものである。【００６４】  また、この発明に係わる除菌クリーナーは、請求項２８の記載によれば、前記除菌水は、次亜塩素酸ＨＯＣｌの濃度を５０ｐｐｍに設定されていることを特徴としている。【００６５】  このように、請求項２８の除菌クリーナーを構成することにより、除菌水を用いて、被洗浄面を確実に水洗い洗浄及び除菌することが出来ると共に、室内空間をも確実に除菌することが出来るものである。【００６６】  また、この発明に係わる除菌クリーナーは、請求項２９の記載によれば、前記殺菌時間は、１（ｍｉｎ）以上となるように設定されていることを特徴としている。【００６７】  このように、請求項２９の除菌クリーナーを構成することにより、除菌水を用いて、被洗浄面を確実に水洗い洗浄及び除菌することが出来ると共に、周囲空間をも確実に除菌すると共にこの周囲空間に置かれた物の表面に付着した菌等を除菌することが出来るものである。
【発明の効果】
【００６８】  以上詳述したように、この発明によれば、装置を大型化することなく、被洗浄面を洗浄しつつ除菌をし、しかも、掃除する部屋の空間を同時に除菌することの出来る除菌クリーナーが提供されることになる。【００６９】  また、この発明によれば、被洗浄面を洗浄しつつ除菌をし、しかも、掃除する部屋の空間を同時に除菌することの出来る洗浄・除菌方法が提供されることになる。【００７０】  特に、この発明においては、一見すれば、特許文献４に示す除菌水専用空間掃除システムと、特許文献５に示すバキュームクリーナーとを合体すれば、被洗浄面としての床を水洗いしつつ、屋内の空気を除菌する技術が完成することになるが、この発明は、このような従来ある除菌水専用空間掃除システムと、従来あるバキュームクリーナーとを単に組み合わせることにより発明されたものでなく、両技術を単に組み合わせただけでは決して得ることの出来ない特有の効果を奏する事が出来るものである。【００７１】  詳細には、本願発明の最大の特徴は、除菌水を汚れた床に吹き付けて床を洗浄すると同時に床を除菌すると共に、床の除菌時に用いられた除菌水から蒸発した除菌ガスを含む除菌エアーを、周囲空間の除菌に用いることにある。これにより、除菌水タンクに貯留された除菌水で、床の除菌と周囲空間の除菌及びこの周囲空間に置かれた物品の表面に付着した菌等の除菌とを同時に実施することが出来る特有の効果を奏する事が出来るものである。【００７２】  ここで、本願発明が特徴とするところの、除菌水をクリーナー本体内又は外に予め貯留しておき、これで床を洗浄及び除菌するのと同時に、周囲空間を除菌するための除菌水として用いることが出来るという従来技術（の組み合わせ）から予期されない効果を達成するため、先ず第１に、被洗浄面の洗浄に用いられる除菌水から蒸発した除菌ガスを利用することであり、第２に、除菌水で被洗浄面を洗浄・除菌した後、この除菌ガスを含む除菌エアーを汚水と共に気液混合流として吸引して、気液分離することであり、第３に、分離した後に、分離した除菌エアーを周囲に排気すること、が必須となるものである。これらの本願発明の技術は、公知技術の組み合わせ技術に何ら開示もされていないし、示唆すらされない技術であり、正にこの点に、本願発明の特徴が存在するものである。
【図面の簡単な説明】
【００７３】
【図１】  この発明に係わる洗浄・除菌方法の実施例の手順を実行するこの発明に係わる除菌クリーナーの第１の実施例の構成を示す概略的に示すブロック図である。
【図２】  図１に示す除菌クリーナーの構造の一例を、分解した状態で示す分解斜視図である。
【図３】  図２に示す除菌クリーナーの内部構造を概略的に示す正面断面図である。
【図４】  図２に示す除菌クリーナーに配設されたターボファンユニット２０を取り出して示す平面断面図である。
【図５】  図２に示す除菌クリーナーに配設されたターボファンユニットの構造を示す分解斜視図である。
【図６】  図５に示すターボファンユニットに設けられたファンケースの構造を示す正面断面図である。
【図７】  図６に示すファンケースの内部構造を示す斜視図である。
【図８】  図５に示すファンケースに配設された対面部材の構造を示す図であり、（Ａ）は平面図、（Ｂ）は正面図、（Ｃ）は（Ｂ）の分解断面図である。
【図９】  図５に示すファンケースに配設された外部部材の構成を示す図であり、（Ａ）は開口部側から見た斜視図、（Ｂ）は（Ａ）とは反対側から見た斜視図である。
【図１０】  吸引ノズル内の除菌水供給チューブの先端部付近の構造を示す断面図である。
【図１１】  この一実施例の清掃・除菌方法及び除菌クリーナーで用いられる除菌水としての次亜塩素酸水の非解離型次亜塩素酸の存在比率と除菌水のｐＨとの関係を示す線図である。
【図１２】  図１１に示す次亜塩素酸水における洗浄特性を説明するための、次亜塩素酸イオン濃度と生菌の除去率との関係を示す線図である。
【図１３】  図１１に示す次亜塩素酸水における殺菌特性を説明するための、次亜塩素酸濃度及び殺菌時間との積の値と、生菌の生存率との関係を示す線図である。
【図１４】  この発明に係わる除菌クリーナーの第２の実施例の構成を概略的に示すブロック図である。
【図１５】  この発明に係わる除菌クリーナーの第３の実施例の構成を概略的に示すブロック図である。
【図１６】  この発明に係わる除菌クリーナーの第４の実施例の構成を概略的に示すブロック図である。
【図１７】  この発明に係わる除菌クリーナーの第５の実施例の構成を概略的に示すブロック図である。
【図１８】  この発明に係わる除菌クリーナーの第６の実施例の構成を概略的に示すブロック図である。
【図１９】  この発明に係わる除菌クリーナーの第７の実施例の構成を概略的に示すブロック図である。
【発明を実施するための形態】
【００７４】  以下に、この発明の除菌クリーナーの第１の実施例の構成を、添付図面の図１乃至図１３を参照して、詳細に説明する。
【００７５】  図１は、この第１の実施例による除菌クリーナー１の構成を概略的に示すブロック図である。図１に示すように、この除菌クリーナー１は、除菌水Ｃが貯留される除菌水タンク４０を外側に備えたキャニスタータイプのクリーナー本体２と、このクリーナー本体２に連結され、可撓性を有する吸引用のホース５１と、このホース５１の先端に着脱自在に連結され、被洗浄面Ｓに摺接する先端面に吸引開口６５が形成された吸引ノズル６０と、クリーナー本体２内に配設され、この吸引ノズル６０の吸引開口６５に吸引負圧を発生させる吸引機構としての吸引ファン７３及びこの吸引ファン７３を駆動する電動モータ７４と、除菌水タンク４０の除菌水Ｃを吸引ノズル６０の吸引開口６５まで導き、この吸引ノズル６０が摺接する被洗浄面Ｓに、この除菌水Ｃを吹き付けて水洗いにより洗浄する吹き付け手段としての除菌水供給ポンプ７０と、吸引機構により、被洗浄面Ｓに吹き付けに用いられる除菌水から蒸発した除菌ガスを含む除菌エアーを、この被洗浄面Ｓに吹き付けられた後の洗浄済除菌水Ｗと共に吸引した気液混合流を、除菌エアーと洗浄済除菌水とに分離する気液分離部２４と、この気液分離部２４により分離された洗浄済除菌水Ｗを汚水として貯留する汚水回収タンク１０と、クリーナー本体２内に配設され、気液分離部２４により分離された除菌エアーをクリーナー本体外に排気する排気部２５とを具備し、排気された除菌エアーの除菌ガスにより、クリーナー本体２が設置された周囲空間を除菌するよう構成されている。
【００７６】  尚、上記した除菌ガスは、除菌水にエネルギーが作用すること、具体的には、被洗浄面Ｓに吹き付けられて衝突する際に除菌水Ｃに作用する衝突エネルギーや、管路中を吸引される際の移動に伴う運動エネルギーが作用することにより、蒸発されて発生するものである。また、周囲空間に排気された除菌ガスを含む除菌エアーにより、周囲空間の空気が除菌されることになるのは当然として、この周囲空間に置かれた物の表面に付着した菌等が除菌されることになるものである。また、除菌水Ｃによる被洗浄面Ｓの除菌や、ガスを含む除菌エアーによる周囲空間の除菌の結果として、被洗浄面Ｓや周囲空間の空気の消臭が引き起こされることになる。
【００７７】  より具体的には、図２に示すように、除菌クリーナー１は、クリーナー本体２備えており、クリーナー本体２の前後部に設けられた接地車輪８ａ、８ｂは移動方向を変えることができるようにキャスターから構成されている。
【００７８】  図３に示すように、クリーナー本体２の前方（図中、左側）には、集塵ホース５１を取り付ける取付口３、除菌水チューブ５２を取り付けるジャケット４が設置されている。また、気体の取付口３の後方には透明窓２ａが設けられており、クリーナー本体２の内部が見えるようになっている。透明窓２ａの内側には、側断面形状が円形の汚水回収タンク１０が設置される。汚水回収タンク１０は、その上方が開口１４のように開放されている。また、汚水回収タンク１０は、透明な合成樹脂材で形成されており、クリーナー本体２の外部から透明窓２ａを通して、内部の様子が観察できるようになっている。
【００７９】  また、クリーナー本体２は、上方に開口７を有しており、汚水回収タンク１０を外部にカタカナ「イ」に示すように脱着可能となっている。汚水回収タンク１０は、クリーナー本体２に設置した際に、取付口３からの吸気が汚水回収タンク１０の内部に導入されるように液密な連結口１１を有する。一方、汚水回収タンク１０の内部には、取付口３からの吸気を、汚水回収タンク１０内に噴出させる噴出ノズル１２が設けられている。汚水回収タンク１０は、容器部１６と蓋１７を具備しており、開口７は蓋側４に設けられている。一方、ノズル１２は容器１６側に設けられている。
【００８０】  クリーナー本体２の中央部２ｂには、吸気を行う電動ファン（吸引ファン）７３（図３）が収められている。一方、連結ダクト３０が、電動ファン７３の上方に設けられており、電動ファン７３から吸気の方向を変更してクリーナー本体２の前方側に向けることが出来るようになされている。特に、図３において、連結ダクト３０は起立した状態を示しているが、この実施例の連結ダクト３０は、吸気の方向を前方に変更できるものとなっている。
【００８１】  一方、連結ダクト３０の前方には、ターボファンユニット２０が接続されている。このターボファンユニット２０は、連結部３０がクリーナー本体２の前方に位置付けられるとき、汚水回収タンク１０の上方の開放した開口１４を、液密、気密状態で塞ぐように構成されている。
【００８２】  また、クリーナー本体２の後部には、除菌水タンク４０を設置するケース３１が設けられている。除菌水タンク４０をケース３１内にカタカナ「ハ」に示すように設置したとき、底部に設けられた接続部４２が解放され、これにより、内部の除菌水が除菌クリーナー１内に導入されることになる。また、クリーナー本体２には、電動ファン用の電源スイッチ５、及び除菌水供給ポンプ（後述）の電源スイッチ６が夫々設けられている。
【００８３】  次に、図３は、除菌クリーナー１の内部構造を示す断面側面図である。電動ファン７３は、クリーナー本体２の底部２ｃに設置され、電動モータ７４と、モータ回転軸に設けられた吸引ファン７３とを有している。電源スイッチ５（図２）を投入することで、商用電源に接続され、ファン７３の吸引口７６から吸気作用をするように構成されている。電動モータ７４がクリーナー本体底部２ｃに設置されているため、除菌クリーナー１の重心が低くなっており、取り回しが容易となる利点がある。
【００８４】  連結ダクト３０は、水平な支軸３３を中心に回動可能であり、内部にフレキシブルホース３２が設けられている。フレキシブルホース３２は、電動ファン６１の吸気口７６に接続されている。また、電動ファン６１の前方のクリーナー本体底部２ｃには、除菌水供給ポンプ７０が取り付けられている。除菌水供給ポンプ７０は、除菌水タンク４０の除菌水Ｃをパイプ７１を経由して取り込み、吐出しパイプ７２へ圧力を掛けて送るものである。吐出しパイプ７２は、ジャケット４を介して除菌水を吸引ノズル６０まで送液するための除菌水チューブ５２に接続している。除菌水供給ポンプ７０は、電源スイッチ６（図１）を投入することで商用電源に接続され可動する。ここにおいて、電動ファン７３の電源とは独立して投入できるようになっている。
【００８５】  ここで、汚水回収タンク１０は、円筒形状の容器１６を有している。汚水回収タンク１０の前側（図中、左側）には、吸気口と接続する連結口１１を有しており、汚水回収タンク１０がクリーナー本体２内に設定されたときに液密、気密状に取付口３に接続されている。汚水回収タンク１０内は、電気ファン７３の稼動により負圧となっているので、吸気ホース５１からの塵芥が混入した気体及び液体は汚水回収タンク１０の内部に噴出されるようになされている。汚水回収タンク１０は、さらに容器１６の上周縁に水密・気密状に勘合する蓋１７を有している。
【００８６】  汚水回収タンク１０には、連結口３からの塵芥が混入した気体及び液体を汚水回収タンク１０に導入する吹き出し口を有するノズル１２が設けられている。図４において、（Ａ）は汚水回収タンク１０のノズル１２の高さで切断した断面図を示している。このノズル１２は、汚水回収タンク１０の容器１６の側面形状１０ａから連続的に延びる上面１２ａを有している。取付口３からの気体は、ノズル１２によりその流れの向きを変えることが出来る。ノズル１２の噴出向きＱは、汚水回収タンク１０の中心に向かう成分Ｒと、汚水回収タンク１０の側面の曲線に沿った方向の成分Ｐにその方向成分を観察したときに、成分Ｐの方がＲよりも大きいものとされる。
【００８７】  ノズル１２による噴出により、汚水回収タンク１０の内の気体は、渦を巻くものとなる。一方、汚水回収タンク１０内に、水が充填されている場合は、この気体の渦に誘起されて図４の（Ｂ）に示すように水が渦巻き状となって、汚水回収タンク１０内の水が渦流Ｔが生成される。水の渦流は遠心力により、汚水回収タンク１０の容器１６内の外周に押し付けられることになり、蓋１７にまで達し、さらにその内側まで濡らすので、蓋１７と容器１６との間は水密なシールを施してある。
【００８８】  このように、汚水回収タンク１０内においては、ノズル１２から噴出した気体は水渦の膜を潜るため、気体に含まれる塵芥が水に触れる機会が増大する。また、汚水回収タンク１０の気体も渦を巻いており遠心分離により、塵芥は水の渦の中に取り込まれることになる。このように、気体の渦と水の渦とが２重の渦となることにより、塵芥を捕獲することができる。
【００８９】  図３に戻り、ターボファンユニット２０は、半球状の形状をしており、内部にファン１１１（図６）及び気液分離部２４（図５）を備えている。気液分離部２４はファンの回転軸に連結して、高速に回転するものであって、その回転軸は、汚水回収タンク１０の中心位置に位置付けられている。ノズル１２から噴出した気体は、汚水回収タンク１０の水渦の膜を潜りはね飛ばすため、水しぶきが立ちこめる。これをそのまま電動モータ７４で吸い込むと、水滴と水滴に混じった塵埃も一緒に吸い込んでしまう。気液分離部２４は、空気と吸引した汚水とを分離するものである。
【００９０】  汚水回収タンク１０の周縁にターボファンユニット２０が液密・気密状に設置されたとき、汚水回収タンク１０の内部で回転する。この回転方向と、ノズル１２からの噴出す方向成分Ｐ（図４）は、同じ方向である。このため、気液分離部２４の回転も、この旋回渦を作るのに寄与させることができる。ターボファンユニット２０は、図中破線で示すように、連結ダクト３０から「ホ」のように分離可能になっており、個別にメンテナンスができるようになっている。
【００９１】  次に、ターボファンユニット２０の詳細について、図５を用いて説明する。
【００９２】  このターボファンユニット２０は、ファンを収めて回転軸２１が突出させたファンケース１００を有している。さらに気液分離部２４を構成する対面部材９０、外部部材８０を有している。電気ファン７３が稼動を始めると、その吸引力によりファンケース１００内のファンが回転軸２１を回転させる。回転軸２１には対面部材９０がナット２２により固着されている。更にこの回転軸２１には同軸に、外部部材８０がその外周縁を対面部材９０の外周縁に、また中央部を取付ナット２２に当接した状態で、ナット２３により固着されている。
【００９３】  図６に示すように、ファンケース１００は、ターボファンユニット２０の半球状カバー２２の中に設けられており、ファン１１１が収められたファン室１１０と、連結ダクト３０へと続く排気室１２０が設けられている。ファン室１１０の下面は隔壁１３０が設けられている。隔壁１３０には、下向きに立設した気体通路となる回廊１３６を内部に有する外周壁１３９、対面部材９０の周壁９２の通路となる周状の溝１３８、及び筒状の壁１３４が設けられている。
【００９４】  ファン室１１０と排気室１２０との間には、ファン１１１の半径よりも小さい幅をもつ開口１１２が設けられている。一方、ファン室１１０の下面となる隔壁１３０には、開口１１２の対向する位置であって、回転軸２１と壁１３４の間にさらなる開口１３５が設けられており、これらの開口１３５を通して電気ファン７３による吸気がファン室１１０を通過する。ファン１１１は、この開口１１２、１３５間を通過する吸気により回転する。
【００９５】  図７に、ファン室１１０の下面に設けられた隔壁１３０を下から見上げた状態の斜視図を示す。隔壁１３０の外周壁の頂部には、弾性部材によるパッキン１３７が設けられており、液体貯留層１０の上方の開口１４の周縁と当接して液密、気密なシールを構成する。回廊１３６の内側の壁１３０ｃには、等角度間隔を置いて空気穴１３３が設けられている。また、外側の壁１３０ａにも空気穴１３１が設けられており、外側の空気穴１３１から気体を取り入れて回廊１３６を経て内側の空気穴１３３へ案内される。このように、外周壁１３９に回廊１３６が設けられるのは、消音の目的である。外周壁１３９の上面１３８には、弾性材料によるシール１３７が設けられている。上面１３８において、シール１３７が設けられている範囲を除いて、外部部材８０のフランジ部８６の裏面８３（図８）が狭い隙間をもって対向している。
【００９６】  図８は、対面部材９０を示す図である。図８の（Ａ）に上面図として示すように、内周には複数の貫通孔９１が設けられている。この貫通孔９１は、対面部材９０の隔壁１３０の開口１３５への気体の通路となっている。また、図８の（Ｂ）に側面図として示すように、対面部材９０の周壁９２には、回転した際に図中下側から上側に気体を案内するための傾斜面９３を持つ複数のリブ９４が等角度間隔に設けられている。傾斜面７３は、図中ｔで示すように上側に膨らんだ傾斜である。また、この傾斜面９３は、対面部材９０の外周側が内周側よりも高くなっている。
【００９７】  図８の（Ｃ）は、対面部材９０のＡ−Ａ断面であり、ファン室１１０の隔壁１３０との関係を示している。対面部材９０を回転軸２１に固定した際、対面部材９０の周壁９２の外周面９２ａ、下面９２ｂ、内周面９２ｃは、ファン室１１０の溝１３８の外周面１３０ａ、下面１３０ｂ、内周壁１３０ｃと近接してラビリンスシールを構成する。このラビリンスシールは、対面部材９０の周壁９４と隔壁１３０との隙間から対面部材９０の内側に入り込もうとする液体をシールするものである。気液分離部２４の内部は、吸引されているために負圧となっており、この隙間から液体が進入するのである。ファン室１３０の回廊１３６からは空気穴１３３を通して、気体が取り込まれており、対面部材９２のリブ９４は、この空気を対面部材９０の図中上方に押し出すファンの役目を果たす。対面部材９０の周壁９２と隔壁１３０の間から対面部材９０の内側に入り込もうとする液体は、この空気の流れにより押し出されるように作用する。
【００９８】  このように、ファン室１３０の隔壁１３０と対面部材９０との間には、ラビリンスシール或いは気体を動的に動かす動的シールが形成されている。これは、隔壁１３０と対面部材９０の隙間から少量の塵埃を含んだ水、及び、液体の浸入を許すと、電動モータを汚染しその寿命を短くするのを抑制するためである。
【００９９】  図９に外部部材８０の斜視図を示す。この外部部材８０は、セパレータとも呼ばれ、その側壁８４に内側と外側を貫通する複数のスリット８１（貫通孔）が等角度間隔で穿設してある。これらのスリット８１を構成するリブ８２が、図中右側方向（対面部材９０から離れる方向）に向かって、回転軸２１に対してセ外部部材８０を縮径するように内側に曲げられている。外部部材８０は回転した際に、汚水回収タンク１０内において飛び散った水を遠心力により振り払い気液分離部２４内部に水が吸い込まれないように働く。
【０１００】  遠心力により振り払うためには、リブ８２を図中右方向に向かって、回転軸２１に対して外部部材８０の径を増加するように外側に曲げられているのが望ましい。外部部材８０に付着した水が、遠心力により図中右側方向に移動しやすいからである。しかしながら、量産においては、そのような形状であると外部部材８０を樹脂材料により成型する際において、型枠から取り出しが困難となるので、本実施例の形状としているのである。
【０１０１】  図１０の（Ａ）に集塵ホース５１の先端に取り付ける吸引ノズル６０の内部構造を示す。この吸引ノズル６０は、筒状のノズル本体６１と、その内部に設けられた断面Ｌ字形の遮蔽板６２と、この遮蔽板６２に連結され、遮蔽板６２を変位させるための駆動部６３を備えている。この吸引ノズル６０内には、除菌水チューブ５２の先端が、中空のステイ６４に支持された状態で配置されており、除菌水チューブ５２の先端から噴出した洗浄液は、ステイ６４を経てノズル本体６１の先端側に形成された開口部６５から被洗浄面Ｓに付着した汚れに対して吹付けられる。
【０１０２】  遮蔽板６２は、断面略Ｌ字状を有し、このＬ字状を画定する略垂直面部分の略中央部分に、開口部６７が形成されている。駆動部６３は、環状のガイド壁部６３ｄ内の空間に設けられたピストン部６３ａが、軸部６３ｂを介して遮蔽板６２に連結された構成となっている。この軸部６３ｂには、ピストン部６３ａを上方に付勢するコイル状のスプリング６３ｃが設けられている。この駆動部６３は、ノズル本体６１内が十分な負圧になった際に、大気圧とこの負圧との差圧が、ピストン部６３ａをスプリング６３ｃの弾撥力に抗して図中下方（吸引ノズル６０本体の内部空間に近接する方向）に変位させ、更に、このピストン部６３ａの変位が、軸部６３ｂを介して遮蔽板６２を変位させるよう構成されている。
【０１０３】  したがって、吸引ノズル６０は、ノズル本体内が十分な負圧となっていない状態、つまり吸引ノズル１が壁から離間している状態では、上限位置に存在しており、開口部６７の下部面６８に、スティ６４から噴出した洗浄液が衝突し、吸引ノズル６１の開口部６５から外部に噴出しない。一方、ノズル本体６１内が十分な負圧になった際には、この負圧との差圧が、ピストン部６３をスプリング６３ｃの弾撥力に抗して遮蔽板６２を図中下方に変位させ、開口部６５から洗浄液を噴出させることになる。
【０１０４】  図１０の（Ｂ）に開口部６５のＹ−Ｙ断面図を示す。図示のように、開口部６５の側面には、大気側からの空気を「ル」に示すように取り入れる小孔６６が開口している。この小孔６６は、開口部６５が完全に塞がった場合でも、吸引できるようにしたものである。
【０１０５】  なお、このような吸引ノズル５０に関しては、例えば、特開２００１−２７６１７２号公報、特開２００１−２９９９０３号公報、特開２００４−１４１８４５号公報及び特開２００４−２２３３７２号公報等に記載されているノズルも好適に使用することができるものである。
【０１０６】  更に、この第１の実施例の除菌クリーナー１は、気液分離部２４により分離された気体を除菌エアーとして排気する排気部２５を備えている。この排気部２５は、図１及び図２に示すように、基端が吸引ファン７３に接続され、先端がクリーナー本体２の外面に形成された排気孔２６に接続された排気通路２７と、この排気通路２７の基端部に介設され、ここを通る排気空気中の微細な塵埃をフィルタリングするためのフィルタ２８とを備えて構成されている。
【０１０７】  このように、この第１の実施例においては、フィルタ２８を備えた排気部２５が設けられているので、例え、気液分離部２４において、汚水回収タンク１０中に塵埃がトラップされずに、排気中に残留した状態で気液分離されたとしても、フィルタ２８において微細な塵埃までもフィルタリングされることとなり、このようにして、被洗浄面Ｓから吸引した空気に含まれる塵埃は、屋内に排気されるに際して、汚水回収タンク１０中にトラップされ、更に、微細な塵埃までもフィルタ２８によりフィルタリングされるという２段階の除去作用を受けることとなり、吸引した空気中に含まれる、屋内に排気されることが効果的に抑止されることになる。
【０１０８】  尚、この第１の実施例においては、上述した除菌水としては、次亜塩素酸ＨＯＣｌ及び次亜塩素酸イオンＯＣＬ−を含有する次亜塩素酸含有水溶液が採用されている。具体的には、水道水にジクロロイソシアヌル酸塩及び無機塩を少なくとも含む次亜塩素酸水生成剤を溶解させて生成した水溶液が用いられているものであり、除菌水Ｃの次亜塩素酸ＨＯＣｌの含有率は、５０ｐｐｍとなるように設定されている。
【０１０９】
2020058755.tif 000005
０の除菌水Ｃを吸引ノズル６０に向けて供給する除菌水供給ポンプ７０の除菌水供給速
2020058755.tif 000006
菌クリーナー１を連続的に使用する際の最大使用時間は、１０分となるものである。この１０分という値は、一般家庭における掃除時間が、平均的に７分であることに鑑みて、充分な時間として確保されているものである。
【０１１０】  次に、以上のように構成される除菌クリーナー１を用いての、被洗浄面Ｓを洗浄・除菌するこの発明の洗浄・除菌方法の第１の実施例の実施手順について、以下に説明する。
【０１１１】  この実施例の洗浄・除菌方法においては、除菌水Ｃを被洗浄面Ｓに吹き付け、被洗浄面Ｓを除菌水Ｃで水洗い洗浄すると共に除菌し、被洗浄面Ｓの除菌に用いられた除菌水から生じた除菌ガスを含む除菌エアーを、被洗浄面Ｓに吹き付けられた後の洗浄済除菌水Ｗと共に気液混合流として吸引し、吸引した気液混合流を気液分離し、分離された洗浄済除菌水Ｗを回収・貯留し、分離された除菌エアーを排気し、排気された周囲空間を除菌すると共に、この周囲空間に置かれた物の表面に付着した菌等を除菌するものである。
【０１１２】  このように、被洗浄面Ｓは、除菌水Ｃで水洗い洗浄されると共に除菌・消臭されることとなり、また、被洗浄面Ｓに用いられた除菌水Ｃから、被洗浄面Ｓへの吹きつけ時や管路中の流通時に蒸発した除菌ガスを含む除菌エアーを、この被洗浄面Ｓに吹き付けられた後の洗浄済除菌水Ｗと共に気液混合流として吸引し、この気液混合流を気液分離し、分離された除菌エアーを周囲空間に排気しているので、この除菌ガスを含む除菌エアーにより、周囲空間は確実に除菌・消臭されると共に、この周囲区間の置かれた物の表面に付着した菌等も除菌ことになる。
【０１１３】  次に、この実施例による除菌クリーナー１の使用方法について説明する。除菌クリーナー１は、３つのモードで使用することができる。ここで、第１のモードは、汚水回収タンク１０に予め水を貯めてこれを水フィルタとして利用するモードであり、第２のモードは、汚水回収タンク１０は空の状態で除菌水タンク４０に除菌水Ｃを予め貯留しておき、除菌水供給ポンプ７０を電気ファン７３と並行して稼動させるモードであり、第３のモードは、汚水回収タンク１０及び除菌水タンク４０を空にしておき、通常の掃除機として用いるモードである。以上の説明から明白なように、上述した第１の実施例の洗浄・除菌方法は第２のモードで実施される。
【０１１４】  まず、第１のモードについて説明する。予め除菌水を汚水回収タンク１０に注水し、これを除菌クリーナー１のクリーナー本体２に設定する。ターボファンユニット２０を汚水回収タンク１０に被せる。集塵ホース５１の先端に付ける吸引ノズル６０は、図９で示したような吸引ノズルでも良いが、家庭用掃除機のノズルでも良い。電気ファン７３の電源スイッチ５を投入することにより、吸引が始まり、汚水回収タンク１０の中には水の渦が発生する。この渦は、透明窓２ａを介して確認することができる。使用につれて、汚水回収タンク１０内に汚水が回収されて、水が汚濁してくるので、電源スイッチ５を落とし、ターボファンユニット２０を取り外し、汚水回収タンク１０をクリーナー本体２から引き抜いて、汚水を捨てる。
【０１１５】  第２のモードにおいては、まず除菌水タンク４０に、除菌水Ｃを充填し、洗浄液ケース３１にセットする。除菌水チューブ５２をジャケット４に差し込む。汚水回収タンク１０は空の状態である。電気ファン７３及び除菌水供給ポンプ７０の電源スイッチ５、６を投入する。これにより、除菌水Ｃが被洗浄面Ｓに吹き付けられ、被洗浄面Ｓがこの除菌水により水洗いされると共に除菌され、また、被洗浄面Ｓに吹き付けられたり、管路中を流通する除菌水から蒸発した除菌ガスを含む除菌エアーが、水洗い後の洗浄済除菌水Ｗと気液混合流として吸引され、気液分離部２４で気液分離された後、分離された洗浄済除菌水Ｗが汚水として汚水回収タンク１０に溜まっていくので、充分に溜まったら、電源スイッチ５、６を落とし、ターボファンユニット２０を取り外し、汚水回収タンク１０をクリーナー本体２から引き抜いて、汚水を捨てる。
【０１１６】  このように第２のモードが選択される状況で、吸引ノズル６０を介して、被洗浄面Ｓから水洗い洗浄及び除菌・消臭に供された除菌水Ｃが、除菌エアーと共に気液混合流として吸引される状況において、吸引された気液混合流は、気液分離部２４において気液分離され、分離された汚水Ｗは、汚水回収タンク１０に回収され、分離された除菌エアーは、除菌成分を除菌ガスとして含むものであり、排気部２５のフィルタ２８により更にフィルタリングされた上で、周囲空間（即ち、この除菌クリーナー１が置かれた屋内）に除菌エアーとして排気されて、屋内の空気はこの除菌エアーの除菌ガスにより効果的に除菌・消臭されると共に、この周囲空間におかれた物の表面に付着した菌等も除菌されることになる。
【０１１７】  以上のように構成される除菌クリーナー１を用いて、被洗浄面Ｓを洗浄・除菌・消臭すると共に、その排気を用いて、除菌クリーナー１が配置された周囲空間の空気を除菌・消臭及びこの周囲空間におかれた物の表面に付着した菌等を除菌するに際して、この実施例においては、除菌水Ｃとして少なくとも次亜塩素酸ＨＯＣｌ及び次亜塩素酸イオンＯＣｌ−が含まれる次亜塩素酸含有水溶液を用いるものである。以下に、この次亜塩素酸含有水溶液について説明する。
【０１１８】  先ず、次亜塩素酸ＨＯＣｌは弱酸であり（解離定数：ｐＫａ＝７．５  ２５℃）、次亜塩素酸含有水溶液は、そのｐＨに依存して、非解離の次亜塩素酸ＨＯＣｌとして存在する成分と、次亜塩素酸イオンＯＣｌ−及び水素イオインＨ＋とに解離された成分とを含む。ここで、図１１に、次亜塩素酸含有水溶液における非解離型次亜塩素酸ＨＯＣｌの存在比率と水溶液のｐＨとの関係を示す。この図１１から、弱酸性領域（ｐＨ４〜６）では、非解離型の次亜塩素酸ＨＯＣｌが高比率で存在するものであり、逆に、ｐＨ７．５以上では、解離型の次亜塩素酸イオンＯＣｌ−が半分以上の割合で存在する状況となることが判る。
【０１１９】  ここで、図１１から明らかなように、次亜塩素酸含有水溶液の解離平衡成分としては次亜塩素酸ＨＯＣｌと次亜塩素酸イオンＯＣｌ−と塩素Ｃｌ２とがあり、何れも殺菌効果を有するものであり、これらを総称して遊離有効塩素と呼ぶこととする。このうち、塩素Ｃｌ２は飛散して消失する速度が速く不安定なため、洗浄・殺菌操作では、次亜塩素酸ＨＯＣｌと次亜塩素酸イオンＯＣｌ−が主体となるｐＨ領域を利用する。
【０１２０】  以上を前提として、次亜塩素酸含有水溶液を用いた場合の洗浄特性及び殺菌特性を調べた実験結果を基にして、上述した第１の実施例において除菌水Ｃとして次亜塩素酸含有水溶液を用いる際の次亜塩素酸濃度が、洗浄特性及び殺菌特性の夫々の最適範囲に含まれるかを確認した。以下に、添付図面の図１２及び図１３を参照して、実験内容を詳細に説明する。
【実験方法】
【０１２１】  実験において、測定対象となる生菌としては、Ｐｓｅｕｄｏｍｏｎｓ  ｆｌｕｏｒｅｓｃｅｎｓ  ＮＢＲＣ１４１６０（以下、単に生菌という。）を用いられた。固体硬質表面として単粒状α―アルミナの微粒子（住友化学製）を用いた（平均粒径：４．６μｍ、比表面積：０．５ｍ２／ｇ）。また、実験では、有効塩素６％の次亜塩素酸ナトリウム溶液ＮａＯＨＣｌ（和光純薬製）を用いた。遊離有効塩素（ＡＣ）濃度は、ヨウ素滴方法で測定した。
【０１２２】  生菌は、Ｌｕｒｉａ−Ｂｅｒｔａｎｉ（ＬＢ）培地（ｐＨ７．６）にて３０℃で培養した。保存用凍
2020058755.tif 000007
した。この培養液から集菌し（１５，０００×ｇ、１０分）、生理食塩水（０．８５％ＮａＣｌ）で２回洗浄した後、再度、生理食塩水に懸濁した。生菌は、１０倍希釈系列から寒天平板培養法に供して、３５±１℃で４０〜４８時間培養し、形成されたコロニー数
2020058755.tif 000008
【０１２３】
2020058755.tif 000009
ナ粒子２ｇを入れ、湯浴中で２時間振とう接触（３０℃、１４０ｒｐｍ）させて行った。付着平衡に達した後、遠心分離（２，３００×ｇ、１０分）により、アルミナ粒子を回
2020058755.tif 000010
【洗浄実験】
【０１２４】
2020058755.tif 000011
塩素酸ナトリウムＮａＯＣｌ溶液と、ｐＨを調整（４〜１３）した希釈塩酸ＨＣｌ及び水酸化ナトリウムＮａＯＨ溶液を用いた。
【０１２５】
2020058755.tif 000012
アルに入れ密栓後、湯浴中で２時間振とう（４０℃、１４０ｒｐｍ）して行った。除去率（％）は、初期付着量に対する洗浄除去された量又は洗浄後のアルミナ上の残存量の比率から算出した。生菌の定量分析（アルミナ粒子上の付着・残留量、洗浄益虫の離脱量）は、固体燃焼装置を装備した全有機炭素分析計（ＴＯＣ−５０００＋ＳＳＭ−５０００；島津製作所製）で行った。
【殺菌実験】
【０１２６】  殺菌実験は、ｐＨ５．７に調整した１ｍＭ  ２−ｍｏｒｐｈｏｌｉｎｏｅｔｈａｎｅｓｕｌｆｏｎｉｃ  Ａｃｉｄ（ＭＥＳ）緩衝液、ｐＨ７．６に調整した１ｍＭ  Ｎ−ｃｙｃｌｏｈｅｘｙ１−２−ａｍｉｎｏｅｔｈａｎｅｓｕｆｏｎａｔｅ（ＣＨＥＳ）緩衝液を用いて行った。操作には、殺菌済器具及び溶液を使用した。
【０１２７】
2020058755.tif 000013
験管に入れて、任意の温度（１５〜４０℃）に調整した湯浴中で、１０分間振とう保温
2020058755.tif 000014
験管に添加し、振とう保温（６０ｒｐｍ）して殺菌処理を開始した（殺菌ＡＣ濃度：２．５
2020058755.tif 000015
の０．１ｍＭ燐酸緩衝液（ｐＨ７．２）入りＰＰ試験管に移した。この液を、直ちに１０倍希釈系列で希釈調整し、寒天平板培養法に供して形成されたコロニー数から生菌数を算出した。
【実験結果】
【洗浄特性】
【０１２８】  生菌が付着したアルミナを種々のｐＨ及びＡＣ濃度に調整した次亜塩素酸ＮａＯＣｌ溶液で洗浄したときの除去率を求め、水素イオイン（Ｈ＋）と水酸イオン（ＯＨ−）の作用では優位な離脱が起こらなかったｐＨ領域（５〜１０）で得られた除去率のデーターを、解離型（ＯＣｌ−）濃度に対して整理した結果を、図１２に示す（ｐＫａ＝７．５で、ＯＣｌ−濃度を算出）。その結果、生菌の除去率は、ＯＣｌ−濃度に依存して増加することが判明した。尚、洗浄に必要な遊離有効塩素ＡＣ濃度は、全有効塩素濃度ではなく、解離型ＯＣｌ−濃度を基準に設定する必要があることが明らかとなった。
【０１２９】  そして、この第１の実施例においては、除去率の閾値として３０％を設定し、除去率
2020058755.tif 000016
ることにより、被洗浄面Ｓの洗浄を充分に行うことが出来ることが判明した。この結果、この第１の実施例で除菌水として用いている次亜塩素酸含有水溶液の次亜塩素酸濃度は５０ｐｐｍであるので、上記した閾値を超えるものであり、充分に洗浄性を備えていることが確認された。
【０１３０】  尚、洗浄性の閾値として設定した３０％は、一見すると低いと思われるかもしれないが、この実験は、次亜塩素酸含有水溶液を静水として用いた状況でおこなわれてもの
2020058755.tif 000017
あり、この流速を加味すれば、閾値としての３０％は、この値で充分であると評価されるものである。
【殺菌特性】
【０１３１】  次に、次亜塩素酸含有水溶液による微生物の殺菌においては、水溶液に含まれる次亜塩素酸の濃度と作用時間が殺菌効率を決める主要な変数となることは良く知られている。そこで、この実験検証では、殺菌効率を解析するためのモデルとして、Ｃｈｉｃｋ−Ｗａｔｓｏｎの法則に基づく以下の式を用いる。
ｌｏｇ（Ｎ／Ｎ０）＝−ｋＣＡＣ・Ｔ
ここで、Ｎ０は初期発生菌数、Ｎは時間Ｔにおける生菌数、ＣＡＣは、次亜塩素酸水溶液の遊離有効塩素ＡＣの濃度、ｋは一次死滅速度定数である。
【０１３２】  先ず、生菌を、ｐＨ５．６及びｐＨ７．６に調整した次亜塩素酸ナトリウム溶液で殺菌処理した時のｌｏｇ（Ｎ／Ｎ０）ｖｓＣＡＣ・Ｔの関係を求め、各ｐＨにおける非解離型次亜塩素酸濃度（ＣＨＯＣｌ）を算出し、算出データをｌｏｇ（Ｎ／Ｎ０）ｖｓＣＨＯＣｌ・Ｔに変換した結果を、図１３に示している。この図１３に示されるように、異なる全ＡＣ濃度とｐＨで得られた生存曲線は、１本の直線に漸近する結果となり、この結果、生菌の殺菌に及ぼすｐＨの影響は、次亜塩素酸の存在比率に及ぼすｐＨの影響と等価であることを示すものであり、非解離ＨＯＣｌが主たる殺菌因子であることが判明した。
【０１３３】  そして、この実施例においては、生存率（ｌｏｇ（Ｎ／Ｎ０））の閾値として１／４０（ｌｏｇ値として、−１．６）を設定し、生存率１／４０％以下を達成する非解離型次亜
2020058755.tif 000018
定されている次亜塩素酸含有水溶液を除菌水として用いることにより、除菌ガスを含む除菌エアーとして屋内に排出された空間の殺菌を充分に行うことが出来ることが判明した。
【０１３４】  尚、ここで、上述した第１の実施例において既に説明したように、この実施例における除菌クリーナー１の１回の作動（即ち、除菌水タンク４０を満タンにした除菌水Ｃを用いての連続洗浄・除菌動作）の最大作動時間は１０分間であるので、殺菌時間を１０
2020058755.tif 000019
０％以下を満足するところか、測定範囲外となるので確定的な表現は出来ないが、生存率生存率（ｌｏｇ（Ｎ／Ｎ０））は−７以下となり、殆ど零に近い生存率を達成することとなり、問題なく殺菌特性が満足されることが、確認された。
【０１３５】  仮に、生存率のｌｏｇ値としてー７、即ち、１／１０７（１０００万分の１）を達成し
2020058755.tif 000020
第１の実施例における除菌水Ｃとして用いられる次亜塩素酸含有水溶液の次亜塩素酸濃度が５０ｐｐｍであるので、この条件を達成する殺菌時間は、０．６分となり、僅か３６秒の掃除において排気に供される除菌エアーで、周囲の除菌が充分になされることが判明した。これは、一般家庭における掃除時間が７分であることに鑑みれば、充分な殺菌時間が確保されていると評価できるものである。
【０１３６】  この発明は、上述した第１の実施例の構成・数値に何ら限定されること無く、この発明の要旨を逸脱しない範囲で種々変形可能であることは言うまでもない。第１の実施例として説明した除菌クリーナー１の構成は、単なる一例であり、以下に、この発明の除菌クリーナーに係わる種々の実施例につき、添付図面を参照して説明する。
【０１３７】  例えば、上述した第１の実施例においては、除菌水Ｃが収容される除菌水タンク４０は、クリーナー本体２の外側に取り付けられるように説明したが、この発明は、このような構成に限定されること無く、図１４に第２の実施例と示すように構成しても良いものである。尚、以下の説明において、図１乃至図１３を参照して説明した第１の実施例の構成と同一部分には、同一符号を付して、その説明を省略する。
【０１３８】  即ち、第２の実施例に係わる除菌クリーナー１においては、図１４に示すように、除菌水タンク４０は、クリーナー本体２の内部に配設されている。このように第２の実施例の除菌クリーナー１を構成することにより、除菌水Ｃが貯留された除菌水タンク４０をクリーナー本体２に内蔵して、装置の小型化を達成することが出来ることになる。
【０１３９】  また、上述した第１の実施例においては、吸引ノズル６０を可撓性のあるホース５１を介してクリーナー本体２に接続されるような、所謂キャニスター構造となるように説明したが、この発明は、このような構成に限定されること無く、例えば図１５に第３の実施例として示すように、吸引ノズル６０をリジッドなホースを介して、クリーナー本体２に連結した構造とすることも出来るものである。このように、第３の実施例に係わる除菌クリーナーによれば、所謂スティックタイプ構造の掃除機の形態として提供することが出来ることになる。
【０１４０】  また、上述した第１の実施例においては、除菌水を供給する除菌水チューブ５２を、ホース５１の中途部からホース５１内に取り込むように構成するよう説明したが、この発明は、このような構成に限定されること無く、例えば図１６に第４の実施例として示すように、除菌水チューブ５２を吸引ノズル６０に直接的に連結して、この吸引ノズル６０内に除菌水を供給するように構成することが出来るものことは言うまでもない。このように、第４の実施例に係わる除菌クリーナーを構成することにより、複雑な射出構造を用いることなく、除菌水チューブ５２の先端を吸引ノズル６０内で終端させることにより、この除菌水チューブ５２の先端から被洗浄面Ｓに向けて除菌水を噴射することが可能となる。
【０１４１】  また、上述した第１の実施例においては、除菌水タンク４０内の除菌水は、除菌水供給ポンプ７０により、吐き出しパイプ７２を介して除菌水パイプ５２にもたらされるように説明したが、この発明はこのような構成に限定されること無く、図１７に第５の実施例として示すように、気液分離部２４に設けられたターボファンユニット２０のセパレーターとして機能する外部部材８０を含めて、この外部部材８０の作動により加圧力を発生させる加圧力発生部８２を規定し、この加圧力発生部８２で発生した加圧力に基づき除菌水タンク４０を加圧して、この除菌水タンク４０に収容された除菌水Ｃを吐出しパイプ７２に送出して、除菌水チューブ５２を介して吸引ノズル６０に送られて、この吸引ノズル６０において被洗浄面Ｓに射出するように構成することが出来ることは言うまでもない。
【０１４２】  ここで、この第５の実施例においては、除菌水タンク４０を加圧力発生部８２に隣接した状態で備え、加圧力発生部８２で発生した加圧力を、隣接する除菌水タンク４０に伝達することが、効率の観点で肝要となるが、一方で、汚水回収タンク１０も気液分離部２４に隣接させる必要がある。このため、この第５の実施例においては、加圧力発生部８２の直下方に隣接して除菌水タンク４０を配設すると共に、汚水回収タンク１０を除菌水タンク４０の外周にドーナッツ状に配設することにより、この汚水回収タンク１０をも気液分離部２４の可能に隣接して配設することが可能となる。
【０１４３】  このように第５の実施例を構成することにより、電源を用いて駆動される除菌水供給ポンプを備える必要が無くなり、装置全体の構成が小型化されると共に、除菌クリーナー１全体として消費電力の低減化を実現することが出来ることになる。
【０１４４】  また、上述した第５の実施例においては、クリーナー本体１内に汚水回収タンク１０、気液分離部２４、除菌水タンク４０及びか圧力発生部８２を配設するようにしたが、この発明はこのような構成に限定されることなく、例えば、図１８に第６の実施例として示すように構成しても良いものである。この第６の実施例の除菌クリーナー１においては、図１８に示すように、クリーナー本体２には、吸引ファン７３とこれを駆動する電動モータ７４と、排気部２５のみが配設されていて、汚水回収タンク１０、気液分離部２４、除菌水タンク４０及びか圧力発生部８２は、クリーナー本体２から分離されたアタッチメント本体９１内に配設されている。このように、除菌クリーナー１をクリーナー本体１とアタッチメント本体９１とに分割することにより、装置全体の小型化を図ることが出来ることになる。
【０１４５】  また、上述した第６の実施例においては、アタッチメント本体９１内の汚水回収タンク１０は、除菌水タンク４０の外周にドーナッツ状に配置されるように説明したが、この発明は、このような構成に限定されること無く、図１９に第７の実施例として示すように構成しても良いことは言うまでもない。即ち、この第７の実施例においては、汚水回収タンク１０と除菌水タンク４０とを、上下に分離した状態で配設し、特に、除菌水タンク４０を汚水回収タンク１０の下方に配置するように構成している。このように２つのタンク１０，４０を上下に配置することにより、上述した第６の実施例の場合と比較して、全体構成を小型化することが出来る効果を奏する事が出来ると共に、予め除菌水Ｃが貯留されている除菌水タンク４０が下方に配置されているため、重心が下方に偏移していて、除菌クリーナー１の全体としての載置状態の安定性が向上する効果を奏する事が出来るものである。
【０１４６】  また、上述した第１の実施例においては、除菌水タンク４０に貯留される除菌水Ｃとして、濃度が５０ｐｐｍの次亜塩素酸を含有する水溶液を用いるように説明したが、この発明は、この数値に限定されること無く、除菌水Ｃとして用いられる次亜塩素酸含有水溶液としては、図１２を用いて洗浄特性を説明した中で明らかにしたとおり、有意な洗浄特性を達成するための除去率の閾値３０％以上を達成する次亜塩素酸イオンＯＣｌ−濃度として３０ｐｐｍ乃至１０００ｐｐｍの範囲の値を達成し、且つ、図１３を用いて殺菌特性を説明した中で明らかにしたとおり、有意な殺菌特性を達成するための生存率の閾値のｌｏｇ値−１．６以下を達成する次亜塩素酸ＨＯＣｌ濃度と殺菌時間との積の値として、５（ｍｇ・
2020058755.tif 000021
もない。
【０１４７】  また、上述した実施例においては、この除菌クリーナー１は、被洗浄面Ｓとして室内の床を洗浄するように説明したが、この発明は、このような洗浄対象に限定されること無く、ソファーや椅子の表面であったり、机等の備品の表面等を被洗浄面の対象とすることが出来ることは、言うまでもない。また、床に置かれた絨毯やカーペットを洗浄・除菌することが出来ることも、言うまでも無い。要は、表面が汚れたた状態を、洗浄・除菌・消臭することに、適用できるもので、その表面の種類を問わないものである。
【産業上の利用可能性】
【０１４８】  以上詳細に説明したように、この発明に係わる洗浄・除菌方法及び除菌クリーナーは、被洗浄面を水洗い洗浄しつつ除菌をし、しかも、この除菌クリーナーが置かれた周囲空間（掃除する部屋の空間）を同時に除菌することの出来るものであり、その良好な経済性を始めとして、産業上の利用可能性が極めて高いものである。
【符号の説明】
【０１４９】  １…除菌クリーナー
２…クリーナー本体
２ａ…透明窓
２ｂ…中央部
２ｃ…底部
３…取付口
４…ジャケット
５…電動ファン用の電源スイッチ
６…除菌水供給ポンプ用の電源スイッチ
７…開口
８ａ；８ｂ…接地車輪
１０…汚水回収タンク
１０ａ…側面形状
１１…連結口
１２…噴出ノズル
１２ａ…上面
１３…水位目安ピン
１４…開口
１６…容器部
１７…蓋
１８…周壁
２０…ターボファンユニット
２４…気液分離部
２５…排気部
２６…排気孔
２７…排気通路
２８…フィルタ
３０…連結ダクト
３１…ケース
３２…フレキシブルホース
３３…支軸
４０…除菌水タンク
４２…接続部
５１…ホース
５２…除菌水チューブ
６０…吸引ノズル
６５…吸引開口
７０…除菌水供給ポンプ
７１…パイプ
７２…吐出しパイプ
７３…吸引ファン
７４…電動モータ
７６…吸引口
８０…外部部材
８２…加圧力発生部
９０…対面部材
９１…アタッチメント本体
１００…ファンケース
１３０…隔壁
Ｃ…除菌水
Ｓ…被洗浄面
Ｗ…洗浄済除菌水（汚水）
【図１】
2020058755.tif 000024
【図２】
2020058755.tif 000025
【図３】
2020058755.tif 000026
【図４】
2020058755.tif 000027
【図５】
2020058755.tif 000028
【図６】
2020058755.tif 000029
【図７】
2020058755.tif 000030
【図８】
2020058755.tif 000031
【図９】
2020058755.tif 000032
【図１０】
2020058755.tif 000033
【図１１】
2020058755.tif 000034
【図１２】
2020058755.tif 000035
【図１３】
2020058755.tif 000036
【図１４】
2020058755.tif 000037
【図１５】
2020058755.tif 000038
【図１６】
2020058755.tif 000039
【図１７】
2020058755.tif 000040
【図１８】
2020058755.tif 000041
【図１９】
2020058755.tif 000042